(57)【要約】【課題】  遊技島の床面に支持脚部を埋設し、支持固定された椅子であっても、座る直前は、椅子同士間のスペース（間隔）が広くなることで、座る際、隣の遊技客に迷惑をかけることなく、着席し易くした遊技場の椅子を提供する。【解決手段】  遊技島に並設した遊技台に対と成して設置された遊技場の椅子において、前記椅子は、床面に埋設した支持脚部と、台座部と、背もたれ部とから構成され、前記台座部の下部に、該台座部を予め一方側に位置するよう左右動させる左右移動機構を備えた構成とした。【選択図】      図３
2006068084.tif 000002
【特許請求の範囲】
【請求項１】
遊技島に並設した遊技台に対と成して設置された遊技場の椅子において、
前記椅子は、床面に埋設した支持脚部と、台座部と、背もたれ部とから構成され、前記台座部の下部に、該台座部を予め一方側に位置するよう左右動させる左右移動機構を備えたことを特徴とする遊技場の椅子。
【発明の詳細な説明】
【技術分野】
【０００１】
本発明は、例えばパチンコ台やスロットマシン等の遊技台が設置された遊技島において、該遊技台と対を成し、遊技客が座る遊技場の椅子に関り、該椅子は、床面に埋設した支持脚部と、台座部と、背もたれ部とから構成され、台座部の下部に、該台座部を予め一方側に位置するよう左右動させる左右移動機構を備えた遊技場の椅子に関する。
【背景技術】
【０００２】
遊技店の遊技島は、複数台の遊技台（例えば、パチンコ台やスロットマシン等）と、貨幣を投入して遊技媒体を貸出す遊技媒体貸出機（例えば、台間玉貸出機や台間メダル貸出機）とから構成されている。
各遊技台の少し離れた位置には、遊技客が座るための椅子が、対と成して設けられている。各椅子は、支持脚部と、台座部と、背もたれ部とから構成されている。該椅子の支持脚部は、床面に埋設され、支持固定されている。
パチンコ台の場合、約５５０ミリの幅を有していることから、略半分の位置の床面に支持脚部を支持した椅子が設けられることになる。約５５０ミリの幅は、パチンコ台が約５１０ミリで、遊技媒体貸出機（台間玉貸出機）が約４０ミリの両方を合わせた幅の長さである。
尚、図示していないが、スロットマシンの場合、約６００ミリの幅を有していることから、略半分の位置の床面に支持脚部を支持した椅子が設けられることになる。尚、約６００ミリの幅は、スロットマシンが約５００ミリで、遊技媒体貸出機（台間メダル貸出機）が約１００ミリの両方を合わせた幅の長さである。
【０００３】
遊技客が遊技するにあたって、遊技台を選択し、椅子に座って遊技を開始する。
上述したように該椅子は床面に埋設され、支持固定されていることから、遊技台（天板）との距離を調節する必要が生じる。
そこで、遊技客が座り易いように台座部と背もたれ部が前後スライドする構造を備えたものが下記の特許文献１にて開示されている。
該特許文献１によれば、背の低い女性の人や、体格のいい男性であっても、遊技台（天板）との距離を調節して好みの位置にて遊技することが可能となる。
【０００４】
【特許文献１】特開平１１−２２５８５１号公報
【発明の開示】
【発明が解決しようとする課題】
【０００５】
上記した特許文献１の前後スライドする構造を備えた椅子によって遊技台（天板）との距離を調節して好みの位置にて遊技することが可能になる。
しかしながら、上述したように遊技島に設置された各椅子間のスペース（間隔）は差ほど広くないため入り難くかった。例えば、遊技島が遊技客で混んでいる時、空席の遊技台に後から座る遊技客は、先に座っている遊技客にぶつかって迷惑を掛けてしまうことが多々生じていた。
そのため、支持脚部を遊技島の床面に埋設され、支持固定された椅子であっても各椅子間のスペース（間隔）を、広くできるように遊技客又は遊技店側から要望されていた。
尚、椅子を遊技島の床面に埋設するように支持固定しなければ、各椅子間のスペースは広くなるものの、該椅子の位置が乱雑になってしまい、その都度店員が元の位置に修復する必要が生じる。
【０００６】
本発明は、以上の点に鑑みなされたもので、遊技島の床面に支持脚部を埋設し、支持固定された椅子であっても、座る直前は、椅子同士間のスペース（間隔）が広くなることで、座る際、隣の遊技客に迷惑をかけることなく、着席し易くした遊技場の椅子を提供することを目的とする。
【課題を解決するための手段】
【０００７】
上記目的は、遊技島に並設した遊技台に対と成して設置された遊技場の椅子において、
前記椅子は、床面に埋設した支持脚部と、台座部と、背もたれ部とから構成され、前記台座部の下部に、該台座部を予め一方側に位置するよう左右動させる左右移動機構を備えたことによって達成される。
【発明の効果】
【０００８】
本発明の構成によれば、遊技島に並設した遊技台に対と成して設置された遊技場の椅子において、前記椅子は、床面に埋設した支持脚部と、台座部と、背もたれ部とから構成され、前記台座部の下部に、該台座部を予め一方側に位置するよう左右動させる左右移動機構を備えたことにより、座る直前は、椅子同士間のスペース（間隔）が広くなり、座る際、隣の遊技客にぶつかる等の迷惑をかけることなく、着席することができるようになる。
【発明を実施するための最良の形態】
【０００９】
以下、図面に示した実施形態を詳細に説明する。
図１は、遊技島に設置された本発明の第１実施形態の椅子を示す正面図であり、図６は、遊技島に設置された本発明の第２実施形態の椅子を示す正面図である。
【実施例１】
【００１０】
始めに、第１実施形態の椅子１０の構成について説明する。
通常、遊技店の各遊技島１は、複数台の遊技台３（ここでは、パチンコ台）と、貨幣を投入して遊技媒体を貸出す遊技媒体貸出機５（ここでは、台間玉貸出機）とが配設された構成から成している。
また、各遊技台３には、対と成すよう、少し離れた位置に椅子１０が設けられている。
各椅子１０は、台座部１１ａと、背もたれ部１１ｂと、支持脚部１１ｃとから構成されている。該椅子１０の支持脚部１１ｃは、床面７に埋設され、支持固定されている。
図１に示すようにパチンコ台３の場合、約５５０ミリの幅を有していることから、略半分の位置の床面７に支持脚部１１ｃを支持した椅子１０が設けられている。約５５０ミリの幅は、パチンコ台が約５１０ミリで、台間玉貸出機が約４０ミリの両方を合わせた幅の長さである。
【００１１】
第１実施形態の椅子１０について図２乃至図５に基づいて説明する。
図に示すように椅子１０は、床面７に埋設した支持脚部１１ｃと、台座部１１ａと、背もたれ部１１ｂとから成り、さらに前記支持脚部１１ｃの下部に、台座部を予め一方側に位置するよう左右に移動させる左右移動機構１５を備えた構成から成している。該左右移動機構１５の構成については後述詳しく説明する。
図２及び図３は遊技客が着席する前の状態を示した側面図、正面図であり、図４及び図５は遊技客が着席した後の状態を示した側面図、正面図である。尚、図４及び図５において着席した遊技客の図は省略してある。
【００１２】
椅子１０は、床面７に埋設した支柱から成る支持脚部１１ｃと、例えばクッション材から成る台座部１１ａと、クッション材から成る背もたれ部１１ｂとから構成されている。該背もたれ部１１ｂは、台座部１１ａの支持部材１１ｄにて固定されている。
【００１３】
次に、第１実施形態の椅子１０の台座部１１ａを左右動に移動させる左右移動機構１５の構成について説明する。
【００１４】
ここでの左右移動機構１５は、椅子１０の台座部１１ａの下方に設けた上方支持部１３ａと、支持脚部１１ｃの上方に設けた下方支持部１３ｂと、メイン伸縮部１７ａと、該メイン伸縮部１７ａの両側に設けたサブ伸縮部１７ｃとから大略構成されている。図２に示すように上方支持部１３ａと、下方支持部１３ｂとにメイン伸縮部１７ａが傾斜して軸支されている。また、メイン伸縮部１７ａの伸縮動作を補うため両側の位置にはサブ伸縮部１７ｃが傾斜して軸支されている。両側のサブ伸縮部１７ｃは、上方支持部１３ａと下方支持部１３ｂに軸支された二本の補助軸１７ｅに軸支されている。このような構成により、メイン伸縮部１７ａとサブ伸縮部１７ｃの内部のメイン伸縮軸１７ｂ、サブ伸縮軸１７ｄが伸縮動作するように構成されている（例えば、油圧シリンダー機構等）。
この伸縮動作に伴って台座部１１ａに遊技客が着席、離席する毎に左右動することになる。尚、上記構成においては、メイン伸縮部１７ａを補うサブ伸縮部１７ｃを設けたが、メイン伸縮部のみであっても良い。
【００１５】
次に、上述した第１実施形態の椅子１０の作用について説明する。
図２及び図３は遊技客が着席する前の状態であり、台座部が幾分高い位置にあり、図４及び図５は遊技客が着席した後の状態であり、座ることにより台座部が高い位置から低い位置に可変し、離席すると台座部は元の高い位置に自動的に戻る自動機構によるものである。ここでは遊技客が座る際の重みで台座部が静に左右動していく。
台座部１１ａを左右動に移動させる、即ち、高い位置から低い位置に可変する構成は、上述した台座部１１ａの下部に備えた左右移動機構１５により、予め一方側に位置するよう該台座部１１ａを位置させておくことができる。
このような構成により、図１においては、左側と右側の椅子１０は遊技客が着席する前、中央の椅子１０は遊技客が着席している位置であり、椅子同士間のスペース（間隔）を示し、左側の椅子１０と、中央の椅子１０との間は、従来のスペース（間隔）より広くなっている。そのため、座る際、体格のいい男性であっても隣の遊技客にぶつかる等の迷惑をかけることなく、着席することができるようになる。
【００１６】
次に、第２実施例の椅子２０の構成について説明する。
遊技店の各遊技島１は、複数台の遊技台３（ここでは、パチンコ台）と、遊技媒体を貸出す遊技媒体貸出機５（ここでは、台間玉貸出機）とが配設された構成から成している。
また、各遊技台３には、対と成すよう、少し離れた位置に椅子２０が設けられている。
各椅子２０は、台座部２１ａと、背もたれ部２１ｂと、支持脚部２１ｃとから構成されている。該椅子２０の支持脚部２１ｃは、床面７に埋設され、支持固定されている。
図６に示すようにパチンコ台３の場合、約５５０ミリの幅を有していることから、略半分の位置の床面７に支持脚部２１ｃを支持した椅子２０が設けられている。約５５０ミリの幅は、パチンコ台が約５１０ミリで、台間玉貸出機が約４０ミリの両方を合わせた幅の長さである。
【００１７】
第２実施形態の椅子について図７乃至図１２に基づいて説明する。
図に示すように椅子２０は、床面７に埋設した支持脚部２１ｃと、台座部２１ａと、背もたれ部２１ｂとから成り、さらに前記支持脚部２１の下部に、台座部を予め一方側に位置するよう左右に移動させる左右移動機構２５を備えた構成から成している。該左右移動機構２５の構成については後述詳しく説明する。
図７及び図８は遊技客が着席する前の状態を示した側面図、正面図であり、図９及び図１０は遊技客が着席した後の状態を示した側面図、正面図である。尚、図９及び図１０において着席した遊技客の図は省略してある。
【００１８】
椅子２０は、床面７に埋設した支柱から成る支持脚部２１ｃと、例えばクッション材から成る台座部２１ａと、台座部裏面の四箇所の支持スプリング２３と、クッション材から成る背もたれ部２１ｂとから構成されている。該背もたれ部２１ｂは、台座部２１ａの支持部材２１ｄにて固定されている。
【００１９】
次に、第２実施形態の椅子２０の台座部２１ａを左右動に移動させる左右移動機構２５の構成について説明する。
【００２０】
ここでの左右移動機構２５は、椅子２０の台座部２１ａの下方に設けたレール支持部２７ａと、左右に移動する移動レール部２７ｂと、該移動レール部２７ｂをガイドするガイドレール部２７ｃと、該移動レール部２７ｃを付勢する弾性材２７ｅと、台座部２１ａの両側に設けた台座ストッパ部２７ｄと、から大略構成されている。
図７及び図９と、図１１及び図１２に示すように両端が折曲したレール支持部２７ａの内側にコの字状に折曲した移動レール部２７ｂが設けられている。また、該レール支持部２７ａと移動レール部２７ｂとの間に、該移動レール部２７ｂをガイド支持させながら左右動させるガイドレール部２７ｃが出没自在に設けられている。また、移動レール部２７ｂが左右動に作用するために、移動レール部２７ｂの一端中央と、レール支持部２７ａの他端中央に付勢する弾性材２７ｅが設けられている。
レール支持部２７ａの両端を折曲した両側位置には、台座部２１ａが下方位置に下がった際、ストッパの役割をする、ゴム材等から成る台座ストッパ部２７ｄが設けられている。このような構成により、レール支持部２７ａ内を移動レール部２７ｂが左右のガイドレール部２７ｃに沿って水平移動動作するように構成されることになる（例えば、水平スライドレール機構等）。
この水平移動動作によって台座部２１ａに遊技客が着席、離席する毎に左右動することになる。
【００２１】
次に、上述した第２実施形態の椅子２０の作用について説明する。
図７及び図８は遊技客が着席する前の状態であり、台座部が右側に幾分寄った位置にあり、図９及び図１０は遊技客が着席した後の状態であり、座ることにより台座部が通常の位置に可変し、離席すると台座部は元の右側に幾分寄った位置に戻る自動機構によるものである。ここでは遊技客が座る際、取手２１ｅで台座部２１ａを左右動させながら座る。
台座部２１ａを左右動に移動させる、即ち、幾分右側の位置から通常の位置に可変する構成は、上述した台座部２１ａの下部に備えた左右移動機構２５により、予め一方側に位置するよう該台座部２１ａを位置させておくことができる。
【００２２】
このような構成により、図６においては、左側と右側の椅子２０は遊技客が着席する前、中央の椅子２０は遊技客が着席している位置であり、椅子同士間のスペース（間隔）を示し、左側の椅子２０と、中央の椅子２０との間は、従来のスペース（間隔）より広くなっている。そのため、座る際、体格のいい男性であっても隣の遊技客にぶつかる等の迷惑をかけることなく、着席することができるようになる。
【００２３】
上述した第１実施形態と、第２実施形態に説明した椅子の台座部を予め一方側に位置するよう左右動させるための左右移動機構の構成に限定するものではない。また、遊技島においても図示していないが、スロットマシンと台間メダル貸出機とを配設した遊技島であっても同様の効果を有する。
【００２４】
ここでの説明では、遊技島において、全ての椅子を本発明の左右移動機構を備えた構成としたが、今までの通常の椅子とを交互に設置することにより、遊技客が座る直前の位置であっても椅子間のスペースが広くなる。
【図面の簡単な説明】
【００２５】
【図１】遊技島に、対と成して設置された第１実施形態の椅子を示す正面図である。
【図２】第１実施形態の椅子で、着席する前の状態を示す側面図である。
【図３】同上、着席する前の状態を示す正面図である。
【図４】第１実施形態の椅子で、着席した後の状態を示す側面図である。
【図５】同上、着席した後の状態を示す正面図である。
【図６】遊技島に、対と成して設置された第２実施形態の椅子を示す正面図である。
【図７】第２実施形態の椅子で、着席する前の状態を示す側面図である。
【図８】同上、着席する前の状態を示す正面図である。
【図９】第２実施形態の椅子で、着席した後の状態を示す側面図である。
【図１０】同上、着席した後の状態を示す正面図である。
【図１１】第２実施形態の左右移動機構の構成で着席前を示した図である。
【図１２】第２実施形態の左右移動機構の構成で着席後を示した図である。
【符号の説明】
【００２６】
１０    椅子（第１実施形態）
１１ａ  台座部
１１ｂ  背もたれ部
１１ｃ  支持脚部
１５    左右移動機構
１７ａ  メイン伸縮部
１７ｃ  サブ伸縮部
２０    椅子（第２実施形態）
２１ａ  台座部
２１ｂ  背もたれ部
２１ｃ  支持脚部
２５    左右移動機構
２７ａ  レール支持部
２７ｂ  移動レール部
２７ｃ  ガイドレール部
【図１】
2006068084.tif 000003
【図２】
2006068084.tif 000004
【図３】
2006068084.tif 000005
【図４】
2006068084.tif 000006
【図５】
2006068084.tif 000007
【図６】
2006068084.tif 000008
【図７】
2006068084.tif 000009
【図８】
2006068084.tif 000010
【図９】
2006068084.tif 000011
【図１０】
2006068084.tif 000012
【図１１】
2006068084.tif 000013
【図１２】
2006068084.tif 000014